【手続補正書】
【提出日】平成17年2月10日(2005.2.10)
【手続補正１】
【補正対象書類名】明細書
【補正対象項目名】特許請求の範囲
【補正方法】変更
【補正の内容】
【特許請求の範囲】
【請求項１】
サッシ枠（１０）は出入口区間（Ａ）と障子開放側区間（Ｂ）を設け、障子走行部（１）に障子（Ｅ）を走行自在に備え、且つ少なくとも上枠材（１１）の室外側に上枠室外壁（２）を、下枠材（１２）の室外側に下枠室外壁（３）を設け、障子開放側区間（Ｂ）の上枠室外壁（２）と下枠室外壁（３）の室外側にガーデニング用下地体（３０）を跨がって備えていることを特徴とするガーデニング用サッシ。
【手続補正２】
【補正対象書類名】明細書
【補正対象項目名】０００４
【補正方法】変更
【補正の内容】
【０００４】
【課題を解決するための手段】
上記目的を達成するために、請求項１のガーデニング用サッシは、サッシ枠に出入口区間と障子開放側区間を設け、障子走行部に障子を走行自在に備え、少なくとも上枠材の室外側に上枠室外壁を、下枠材の室外側に下枠室外壁を設け、障子開放側区間の上枠室外壁と下枠室外壁の室外側にガーデニング用下地体を跨がって備えている。
【手続補正３】
【補正対象書類名】明細書
【補正対象項目名】０００５
【補正方法】変更
【補正の内容】
【０００５】
請求項１の発明においてサッシ枠は、出入口区間と障子開放側区間に跨がる障子走行部を少なくとも１つ設け、１つの障子走行部に１枚の障子を走行自在に嵌挿するか、２枚の障子を走行自在に嵌挿し、或いは複数の障子走行部に障子を１枚づつ嵌挿するもので、障子開放側区間を開口部側外壁の室外側に位置するように半外付けし、障子開放側区間の室内側を開口部側外壁で塞ぐものである。
請求項１の発明において出入口区間は、１枚の障子幅に略等しく設ける場合と、２枚の障子幅に略等しく設ける場合とがあり、障子開放側区間は、出入口区間の開放時に障子が収まる範囲で、１枚の障子幅に略等しく設ける。
【手続補正４】
【補正対象書類名】明細書
【補正対象項目名】０００６
【補正方法】変更
【補正の内容】
【０００６】
ガーデニング用下地体は、上枠室外壁と下枠室外壁に直接取付けることも可能であるが、上枠室外壁に上枠取付金具を、下枠室外壁に下枠取付金具を取付け、両取付金具を介して取付けると、形態の異なるガーデニング用下地体でも簡単に取付けることができるし、取付位置も変更できる。
上枠室外壁と下枠室外壁は、取付金具を簡単に取付けることができて、体裁を損なうことのないものが好ましく、又取付金具の取付手段として、ビス止め、ネジ止めが望ましいが、挟持や接着であってもよい。
装飾体は、取付けが容易で、体裁の良いものであれば形態は自由である。
【手続補正５】
【補正対象書類名】明細書
【補正対象項目名】０００７
【補正方法】変更
【補正の内容】
【０００７】
【発明の実施の形態】
先ず本発明によるガーデニング用サッシの第一実施形態を図１と図２に基づき説明すれば、上枠材１１と、下枠材１２と、左右の縦枠材１３，１４とで構成されたサッシ枠１０に、出入口区間Ａと障子開放側区間Ｂとを設け、障子走行部１に障子Ｅを走行自在に備え、且つ少なくとも上枠材１１の室外側に上枠室外壁２を、下枠材１２の室外側に下枠室外壁３を設け、障子開放側区間Ｂの上枠室外壁２と下枠室外壁３の室外側にガーデニング用下地体３０を跨がって備えている。
本発明のサッシ枠１０は、１つの障子走行部１に障子Ｅを１枚、又は２枚走行自在に嵌挿するか、２つの障子走行部１に障子Ｅを１枚づつ夫々嵌挿し、或いは３つの障子走行部１に障子Ｅを１枚づつ夫々嵌挿する。
【手続補正６】
【補正対象書類名】明細書
【補正対象項目名】０００８
【補正方法】変更
【補正の内容】
【０００８】
本発明によるガーデニング用サッシの第二実施形態を、第一実施形態のガーデニング用サッシと相違する点のみを図２乃至図４に基づき説明すれば、サッシ枠１０の略半幅に躯体開口部Ｈに位置する出入口区間Ａを、残りの略半幅に開口部側外壁Ｗ１の室外側に位置する障子開放側区間Ｂを設け、障子走行部１に１枚の障子Ｅを片引き式に備えている。
開口部Ｈは躯体外壁Ｗに設けてあり、開口部Ｈの両側に開口部側外壁Ｗ１が連続している。
第二実施形態のサッシ枠１０は図４の如く、躯体開口部Ｈと開口部側外壁Ｗ１の室外側に跨がって半外付けするもので、出入口区間Ａと障子開放側区間Ｂは障子幅に略等しく、出入口区間Ａが躯体開口部Ｈに連通し、障子Ｅは出入口区間Ａを開閉し、出入口区間Ａの開放時に障子開放側区間Ｂに収まる。
【手続補正７】
【補正対象書類名】明細書
【補正対象項目名】０００９
【補正方法】変更
【補正の内容】
【０００９】
図２と図５に示すように、上枠室外壁２の室外側に上枠取付金具８を、下枠室外壁３の室外側に下枠取付金具９を夫々取付け、両取付金具８，９を介して障子開放側区間Ｂの室外側にガーデニング用下地体３０を取付けている。
上枠取付金具８は図６（イ）の如く、上枠固定部８ｂとガーデニング用下地体３０の上保持部８ａとを備え、上枠固定部８ｂを上枠室外壁２に固定する。
下枠取付金具９は図６（ロ）の如く、下枠固定部９ｂとガーデニング用下地体３０の下保持部９ａとを備え、下枠固定部９ｂを下枠室外壁３に固定する。
両取付金具８，９はガーデニング用下地体３０の大きさや形状に応じて取付るもので、小幅のガーデニング用下地体３０にあっては、上枠室外壁２の１カ所に上枠取付金具８を、下枠室外壁３の１カ所に下枠取付金具９を上枠取付金具８と揃えて取付け、幅広のガーデニング用下地体３０にあっては、上枠室外壁２の少なくとも２カ所に上枠取付金具８を間隔を有して取付けると共に、下枠室外壁３の少なくとも２カ所に下枠取付金具９を上枠取付金具８と揃えて取付ける。
【手続補正８】
【補正対象書類名】明細書
【補正対象項目名】００１７
【補正方法】変更
【補正の内容】
【００１７】
障子Ｅの竪框ｅと、補助枠２０の竪部材２４とに、障子Ｅの閉鎖時相互に係合する煙り返しを設けることが好ましいし、竪部材２４に障子Ｅの施錠具Ｃを備えることが望ましい。
障子開放側区間Ｂ内の開口部側外壁Ｗ１の外装を、それ以外の開口部側外壁Ｗ１と統一すれば、障子開放側区間Ｂ内の開口部側外壁Ｗ１と、それ以外の開口部側外壁Ｗ１とが同一化し、外観が向上する。
サッシ枠１０を構成する上枠材１１と下枠材１２と縦枠材１３，１４、及び補助枠２０を構成する上部材２１と下部材２２と竪部材２４、更に障子Ｅを構成する竪框ｅと他の框は、軽金属材、特にアルミニウム合金より押出し成形することが望ましい。
【手続補正９】
【補正対象書類名】明細書
【補正対象項目名】００１８
【補正方法】変更
【補正の内容】
【００１８】
障子走行部１の室外側に網戸レール１２ｄを設け、網戸レール１２ｄに網戸Ｄを取付けることも可能であるし、サッシ枠１０に対するガーデニング用下地体３０の取付手段も上記実施形態に限定されるものではなく、取付金具８，９を用いずに直接取付けることも可能である。
開口部側外壁Ｗ１と躯体外壁Ｗを統一すれば、ガーデニング用下地体３０を取外した時に同一化するので、体裁が良い。
尚、上枠材１１と上部材２１を一体に形成することも可能であるし、下枠材１２と下部材２を一体に形成することも可能であるが、一体に形成した場合、上部材２１又は下部材２の障子開放側区間Ｂを切取る必要がある。
【手続補正１０】
【補正対象書類名】明細書
【補正対象項目名】００１９
【補正方法】変更
【補正の内容】
【００１９】
【発明の効果】
本発明によるガーデニング用サッシは上記構造のとおりであるから、次に記載する効果を奏する。
請求項１のガーデニング用サッシは、障子開放側区間の室外側にガーデニング用下地体を備えるので、集合住宅の窓辺に草花を簡単に飾ることができ、それによって生活者と街並みの景観の調和を図ったり、生活者と街を通行する人々に潤いを与えたりすると共に、素敵な景観を与える。特に、生活者は草花を育てる楽しさと、草花を観賞することによるヒーリング効果を得ることができる。
【手続補正１１】
【補正対象書類名】明細書
【補正対象項目名】図面の簡単な説明
【補正方法】変更
【補正の内容】
【図面の簡単な説明】
【図１】
本発明によるガーデニング用サッシの第一実施形態を示す斜視図である。
【図２】（イ）（ロ）
障子開放側区間の縦断面図と、出入口区間の縦断面図である。
【図３】
第二実施形態の使用例を示す横断面図である。
【図４】
第二実施形態のガーデニング用サッシのサッシ枠の取付例を示す正面図である。
【図５】
障子開放側区間の横断面図である。
【図６】（イ）（ロ）
上枠取付金具と下枠取付金具の斜視図である。
【図７】（イ）（ロ）
サッシ枠の障子開放側区間と出入口区間における縦断面図である。
【図８】（イ）（ロ）
上枠材と上部材の側面図である。
【図９】（イ）（ロ）
下枠材と下部材の側面図である。
【図１０】
固定具の装着例を示す斜視図である。
【図１１】
縦部材の取付例を示す上部縦断面図と下部縦断面図である。
【符号の説明】
１０  サッシ枠
１１  上枠材、１２  下枠材、１３，１４  縦枠材
１  障子走行部
２，３  室外壁
５  袋溝
６  切欠部
７  固定具
８，９  取付金具
２０  補助枠、２１  上部材、２２  下部材、２３  縦部材、２４  竪部材
３０  ガーデニング用下地体
Ａ  出入口区間
Ｂ  障子開放側区間
Ｃ  施錠具、Ｄ  網戸
Ｅ  障子、ｅ  竪框
Ｗ  躯体外壁、Ｗ１  開口部側外壁
Ｈ  躯体開口部
【手続補正１２】
【補正対象書類名】図面
【補正対象項目名】図１
【補正方法】変更
【補正の内容】
【図１】
2000274157.tif 000001
【手続補正１３】
【補正対象書類名】図面
【補正対象項目名】図２
【補正方法】変更
【補正の内容】
【図２】
2000274157.tif 000002
【手続補正１４】
【補正対象書類名】図面
【補正対象項目名】図３
【補正方法】変更
【補正の内容】
【図３】
2000274157.tif 000003